【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
放射線治療装置であって、
中心開口部を有するリングガントリと、
前記リングガントリに連結され、少なくとも１８０度の孤度において、前記中心開口部の周囲で回転可能である、放射線治療ヘッドと、
前記中心開口部を通して延在する前後軸の方向に、前記リングガントリを平行移動させるように構成されるガントリ平行移動機構と、
を備える、装置。
【請求項２】
前記放射線治療ヘッドは、少なくとも３６０度の孤度において、前記中心開口部の周囲で回転可能である、請求項１に記載の放射線治療装置。
【請求項３】
前記リングガントリは、中心リングガントリ面を画定し、前記放射線治療ヘッドは、治療放射線が、前記リングガントリ面に対して、面外に指向され得るように、少なくとも１つの枢動軸の周りで前記放射線治療ヘッドの枢動を可能にする様式で、前記リングガントリに連結される、請求項１に記載の放射線治療装置。
【請求項４】
前記放射線治療ヘッドは、前記少なくとも１つの枢動軸の周囲における前記放射線治療ヘッドの任意の枢動角度に対して、前記中心リングガントリ面に沿って、前記放射線治療ヘッドの質量中心を維持する様式で、前記リングガントリに連結される、請求項３に記載の放射線治療装置。
【請求項５】
前記前後軸は、アイソセンタを通過する中心前後軸であって、前記放射線治療ヘッドは、治療放射線がさらに、前記中心前後軸に対して、中心を外れて指向され得るように、少なくとも２つの枢動軸の周りで前記放射線治療ヘッドの枢動を可能にする様式で、前記リングガントリに連結される、請求項３に記載の放射線治療装置。
【請求項６】
前記リングガントリに連結された第１の撮像源および第１の撮像検出器を含む、第１の撮像システムをさらに備える、請求項１に記載の放射線治療装置。
【請求項７】
前記放射線治療装置が設置される、治療用円筒形構造体に対して、固定可能に位置付けられる、第１の撮像源および第１の撮像検出器を含む、第１の撮像システムをさらに備える、請求項１に記載の放射線治療装置。
【請求項８】
前記前後軸に沿って、前記リングガントリとともに平行移動可能であるように構成され、位置付けられる、第１の撮像源および第１の撮像検出器を含む、第１の撮像システムをさらに備える、請求項１に記載の放射線治療装置。
【請求項９】
前記第１の撮像源および前記第１の撮像検出器は、前記リングガントリに搭載され、前記中心開口部の周りを、前記放射線治療ヘッドと連動して回転可能である、請求項８に記載の放射線治療装置。
【請求項１０】
前記第１の撮像源は、Ｘ線源アレイを備える、請求項８に記載の放射線治療装置。
【請求項１１】
第２の撮像源および第２の撮像検出器を含む第２の撮像システムをさらに備え、前記第２の撮像システムは、（ｉ）前記前後軸に対して固定されている、または（ｉｉ）前記リングガントリに対して、前記前後軸の方向に独立して平行移動可能であるかのいずれかである、請求項７に記載の放射線治療装置。
【請求項１２】
請求項１に記載の放射線治療装置であって、前記放射線治療装置は、治療用円筒形構造体のアイソセンタに配置される患者の標的組織体積に、放射線治療を提供するためのものであり、前記リングガントリが格納されるリングガントリ構造であって、（ｉ）前記リングガントリ構造が前記アイソセンタを前後方向に包含する、第１の場所と、（ｉｉ）前記リングガントリ構造が前記アイソセンタを包含しない、第２の場所との間で、前記前後軸に沿って平行移動可能である、リングガントリ構造と、
前記リングガントリ構造とは別の、前記標的組織体積の治療前撮像および準備撮像のうちの少なくとも１つを提供するための３Ｄ撮像デバイスであって、（ｉｉｉ）前記３Ｄ撮像デバイスが前記アイソセンタを前後方向に包含しない、第３の場所と、（ｉｖ）前記３Ｄ撮像デバイスが前記アイソセンタを包含する、第４の場所との間で、前記前後軸に沿って平行移動可能である、３Ｄ撮像デバイスと、
をさらに備え、それによって、（ａ）前記３Ｄ撮像デバイスによる、前記標的組織体積の治療前および／または準備撮像と、（ｂ）前記放射線治療ヘッドによる、前記標的組織体積への放射線治療の送達の両方が、前記患者の移動を要求せずに、達成されることができる、放射線治療装置。
【請求項１３】
前記治療前および／または準備撮像は、前記リングガントリ構造を前記第２の場所に平行移動させることと、前記３Ｄ撮像デバイスを前記第４の場所に平行移動させることとを含み、前記放射線治療の送達は、前記３Ｄ撮像デバイスを前記第３の場所に平行移動させることと、前記リングガントリ構造を前記第１の場所に平行移動させることとを含む、請求項１２に記載の放射線治療装置。
【請求項１４】
前記３Ｄ撮像デバイスは、ＣＴ撮像デバイスおよびＭＲＩデバイスから成る群から選択される、請求項１２に記載の放射線治療装置。
【請求項１５】
放射線治療装置であって、 
前後軸に沿って位置付けられ、かつそれを通して延在する、患者の身体を収容するために十分に大きな中心開口部を有するリングガントリと、
前記前後軸に対して、前記リングガントリを複数の異なる傾斜角度に傾斜させるように構成される、ガントリ傾斜機構と、
前記リングガントリに連結され、少なくとも１８０度の孤度において、前記中心開口部の周囲で回転可能である、放射線治療ヘッドであって、前記放射線治療ヘッドが、前記リングガントリに対して、前記中心開口部に向かって内向きに延在する距離が、動的に制御可能であるように、前記リングガントリに機械的に連結される、放射線治療ヘッドと、
を備える、装置。
【請求項１６】
前記放射線治療ヘッドは、少なくとも３６０度の孤度において、前記中心開口部の周囲で回転可能である、請求項１５に記載の放射線治療装置。
【請求項１７】
前記リングガントリは、リングガントリ面を画定し、前記放射線治療ヘッドが内向きに延在する距離は、前記放射線治療ヘッドと前記リングガントリとの間に機械的に連結された伸縮自在アームの動作によって、動的に制御可能であって、前記伸縮自在アームは、前記リングガントリ面の中心に向かって、およびそこから離れるように動的に延在するように構成される、請求項１５に記載の放射線治療装置。
【請求項１８】
前記放射線治療ヘッドが、前記中心開口部の周囲において、複数のガントリ角度を通じて回転されるにつれて、前記放射線治療ヘッドが内向きに延在する距離を動的に制御するように構成される、制御デバイスをさらに備え、前記制御デバイスは、前記放射線治療ヘッドが、前記前後軸の周囲におよびそれに沿って延在する、所定の円筒形緩衝帯外に隣接して維持されるように、前記距離を制御する、請求項１５に記載の放射線治療装置。
【請求項１９】
前記ガントリ傾斜機構は、前記前後軸に垂直である水平傾斜軸の周りで、前記リングガントリを傾斜させるように構成される、請求項１５に記載の放射線治療装置。
【請求項２０】
前記水平傾斜軸は、アイソセンタの近傍において、前記前後軸に交差する、請求項１９に記載の放射線治療装置。
【請求項２１】
前記前後軸の方向に、前記リングガントリを平行移動させるように構成される、ガントリ平行移動機構をさらに備え、それによって、前記水平傾斜軸は、対応して、前記前後方向に移動可能である、請求項１９に記載の放射線治療装置。
【請求項２２】
前記ガントリ傾斜機構は、前記前後軸に垂直である垂直傾斜軸の周囲において、前記リングガントリを傾斜させるように構成される、請求項１５に記載の放射線治療装置。
【請求項２３】
前記垂直傾斜軸は、アイソセンタの近傍において、前記前後軸に交差する、請求項２２に記載の放射線治療装置。
【請求項２４】
前記前後軸の方向に、前記リングガントリを平行移動させるように構成される、ガントリ平行移動機構をさらに備え、それによって、前記垂直傾斜軸は、対応して、前記前後方向に移動可能である、請求項２２に記載の放射線治療装置。
【請求項２５】
前記前後軸の方向に、前記リングガントリを平行移動させるように構成される、ガントリ平行移動機構をさらに備える、請求項１５に記載の放射線治療装置。
【請求項２６】
前記前後軸に沿って、前記リングガントリとともに平行移動可能であるように構成され、位置付けられる、第１の撮像源および第１の撮像検出器を含む、第１の撮像システムをさらに備える、請求項２５に記載の放射線治療装置。
【請求項２７】
前記第１の撮像源および前記第１の撮像検出器は、前記リングガントリに搭載され、前記中心開口部の周りを、前記放射線治療ヘッドと連動して回転可能である、請求項２６に記載の放射線治療装置。
【請求項２８】
前記リングガントリは、リングガントリ面を画定し、前記放射線治療ヘッドは、治療放射線が、前記リングガントリ面に対して、面外に指向され得るように、少なくとも１つの枢動軸の周りで前記放射線治療ヘッドの枢動を可能にする様式で、前記リングガントリに連結される、請求項１５に記載の放射線治療装置。
【請求項２９】
前記前後軸は、アイソセンタを通過する固定中心前後軸であって、前記放射線治療ヘッドは、治療放射線がさらに、前記中心前後軸に対して、中心を外れて、指向され得るように、少なくとも２つの枢動軸の周りで前記放射線治療ヘッドの枢動を可能にする様式で、前記リングガントリに連結される、請求項１５に記載の放射線治療装置。
【請求項３０】
前記放射線治療装置が設置される、治療用円筒形構造体に対して、固定可能に位置付けられる、第１の撮像源および第１の撮像検出器を含む、第１の撮像システムをさらに備える、請求項１５に記載の放射線治療装置。
【請求項３１】
請求項１５に記載の放射線治療装置であって、前記放射線治療装置は治療用円筒形構造体のアイソセンタに配置される患者の標的組織体積に、放射線治療を提供するためのものであり、
前記リングガントリが格納されるリングガントリ構造であって、（ｉ）前記リングガントリ構造が前記アイソセンタを前後方向に包含する、第１の場所と、（ｉｉ）前記リングガントリ構造が前記アイソセンタを包含しない、第２の場所との間で、前記前後軸に沿って平行移動可能である、リングガントリ構造と、
前記リングガントリ構造とは別の、前記標的組織体積の治療前撮像および準備撮像のうちの少なくとも１つを提供するための３Ｄ撮像デバイスであって、（ｉｉｉ）前記３Ｄ撮像デバイスが前記アイソセンタを前後方向に包含しない、第３の場所と、（ｉｖ）前記３Ｄ撮像デバイスが前記アイソセンタを包含する、第４の場所との間で、前記前後軸に沿って平行移動可能である、３Ｄ撮像デバイスと、
をさらに備え、それによって、（ａ）前記３Ｄ撮像デバイスによる、前記標的組織体積の治療前および／または準備撮像と、（ｂ）前記放射線治療ヘッドによる、前記標的組織体積への放射線治療の送達の両方が、前記患者の移動を要求せずに、達成されることができる、放射線治療装置。
【請求項３２】
前記治療前および／または準備撮像は、前記リングガントリ構造を前記第２の場所に平行移動させることと、前記３Ｄ撮像デバイスを前記第４の場所に平行移動させることとを含み、前記放射線治療の送達は、前記３Ｄ撮像デバイスを前記第３の場所に平行移動させることと、前記リングガントリ構造を前記第１の場所に平行移動させることとを含む、請求項３１に記載の放射線治療装置。
【請求項３３】
前記３Ｄ撮像デバイスは、ＣＴ撮像デバイスおよびＭＲＩデバイスから成る群から選択される、請求項３１に記載の放射線治療装置。
【請求項３４】
放射線治療装置であって、
前後軸に沿って位置付けられ、かつそれを通して延在する、患者の身体を収容するために十分に大きな中心開口部を有するリングガントリと、
前記リングガントリに連結され、少なくとも１８０度の孤度において、前記中心開口部の周囲で回転可能である、放射線治療ヘッドと、
を備え、前記放射線治療ヘッドは、前記放射線治療ヘッドが、前記リングガントリに対して、前記中心開口部に向かって内向きに延在する距離が、動的に制御可能であるように、前記リングガントリに機械的に連結される、装置。
【請求項３５】
前記放射線治療ヘッドは、少なくとも３６０度の孤度において、前記中心開口部の周囲で回転可能である、請求項３４に記載の放射線治療装置。
【請求項３６】
前記リングガントリは、リングガントリ面を画定し、前記放射線治療ヘッドが内向きに延在する距離は、前記放射線治療ヘッドと前記リングガントリとの間に機械的に連結された伸縮自在アームの動作によって、動的に制御可能であり、前記伸縮自在アームは、前記リングガントリ面の中心に向かって、およびそこから離れるように動的に延在するように構成される、請求項３４に記載の放射線治療装置。
【請求項３７】
前記リングガントリは、中心リングガントリ面を画定し、前記放射線治療ヘッドは、治療放射線が、前記リングガントリ面に対して、面外に指向され得るように、少なくとも１つの枢動軸の周りで前記放射線治療ヘッドの枢動を可能にする様式で、前記リングガントリに連結される、請求項３４に記載の放射線治療装置。
【請求項３８】
前記前後軸は、アイソセンタを通過する中心前後軸であって、前記放射線治療ヘッドは、治療放射線がさらに、前記中心前後軸に対して、中心を外れて指向され得るように、少なくとも２つの枢動軸の周りで前記放射線治療ヘッドの枢動を可能にする様式で、前記リングガントリに連結される、請求項３７に記載の放射線治療装置。
【請求項３９】
前記前後軸に対して、前記リングガントリを複数の異なる傾斜角度に傾斜させるように構成される、ガントリ傾斜機構をさらに備える、請求項３４に記載の放射線治療装置。
【請求項４０】
前記前後軸の方向に、前記リングガントリを平行移動させるように構成される、ガントリ平行移動機構をさらに備える、請求項３４に記載の放射線治療装置。